(57)【要約】【課題】作業性を確保しながら、止水性を向上させることができる棟面戸およびこの棟面戸が取り付けられた屋根構造を提供する。【解決手段】本発明は、凹凸屋根材１２の棟に取り付けられる棟面戸２である。棟面戸２は、凹部１３に嵌め込まれる面戸板部３を備えている。面戸板部３は、凹部１３に嵌め込まれる前面戸３３と、前面戸３３の棟側に並設される後面戸３１と、前面戸３３と後面戸３１とを連結する連設部３２とを有している。【選択図】図１
2014198945.tif 000002
【特許請求の範囲】
【請求項１】
凹部と凸部とが屋根勾配方向とは直角な方向に並設された凹凸屋根材の棟に取り付けられる棟面戸であって、
前記凹部に嵌め込まれる面戸板部を備えており、
前記面戸板部は、
前記凹部に嵌め込まれる前面戸と、
この前面戸の棟側に並設される後面戸と、
前記前面戸と前記後面戸とを連結する連設部と
を有している
ことを特徴とする棟面戸。
【請求項２】
前記後面戸には、前記凹部に接する箇所にパッキンが設けられている
ことを特徴とする請求項１記載の棟面戸。
【請求項３】
前記凸部の上面に載設され複数の前記面戸板部同士を連結する連結部を備えており、
前記連結部の前記凸部の上面に接する箇所にパッキンが設けられている
ことを特徴とする請求項１または請求項２に記載の棟面戸。
【請求項４】
前記前面戸の上端が前方に屈曲している
ことを特徴とする請求項１ないし請求項３のいずれか一項に記載の棟面戸。
【請求項５】
凹部と凸部とが屋根勾配方向とは直角な方向に並設された凹凸屋根材と、
この凹凸屋根材の棟に取り付けられる棟面戸と
を具備し、
前記棟面戸は前記凹部に嵌め込まれる面戸板部を備え、
前記面戸板部は、
前記凹部に嵌め込まれる前面戸と、
この前面戸の棟側に並設される後面戸と、
前記前面戸と前記後面戸とを連結する連設部と
を有しており、
前記後面戸と前記凹部との間にパッキンが設けられている
ことを特徴とする屋根構造。
【請求項６】
前記棟面戸は、前記凸部の上面に載設され複数の前記面戸板部を連結する連結部を備えており、
前記連結部と前記凸部との間にパッキンが設けられている
ことを特徴とする請求項５記載の屋根構造。
【発明の詳細な説明】
【技術分野】
【０００１】
本発明は、棟面戸およびこれが取り付けられた屋根構造に関する。
【背景技術】
【０００２】
特許文献１には、従来の棟面戸（特許文献１では止面戸）が開示されている。この特許文献１記載の止面戸は、凹凸屋根材としての折板屋根の棟側の端部に取り付けられる。この止面戸は、折板屋根の谷部の形状に適合するような形状に形成されている。止面戸は、折板屋根の谷部に嵌め込まれるようにして取り付けられる。
【先行技術文献】
【特許文献】
【０００３】
【特許文献１】特開２００１−３１７１６４号公報
【発明の概要】
【発明が解決しようとする課題】
【０００４】
ところで、特許文献１記載の止面戸は、棟側の端部において、各谷部に１つずつ設けられている。つまり、止面戸は、棟側の端部において、屋根勾配方向に一つだけ設けられたものに過ぎない。このように、折板屋根の棟側の端部に設けられた止面戸が一つだけだと、止水性に問題が生じる可能性がある。
【０００５】
一方、止面戸を、棟部において、屋根勾配方向に２つ以上並設することも考えられるが、各谷部に止面戸を２つずつ取り付けるようにすると、施工者の作業性が低下するという問題がある。
【０００６】
本発明は、上記事情に鑑みてなされたものであり、その目的とするところは、作業性を確保しながら、止水性を向上させることができる棟面戸およびこの棟面戸が取り付けられた屋根構造を提供することにある。
【課題を解決するための手段】
【０００７】
本発明の棟面戸は、凹部と凸部とが屋根勾配方向とは直角な方向に並設された凹凸屋根材の棟に取り付けられる棟面戸であって、前記凹部に嵌め込まれる面戸板部を備えており、前記面戸板部は、前記凹部に嵌め込まれる前面戸と、この前面戸の棟側に並設される後面戸と、前記前面戸と前記後面戸とを連結する連設部とを有していることが好ましい。
【０００８】
またこの棟面戸において、前記後面戸には、前記凹部に接する箇所にパッキンが設けられていることが好ましい。
【０００９】
またこの棟面戸において、前記凸部の上面に載設され複数の前記面戸板部同士を連結する連結部を備えており、前記連結部の前記凸部の上面に接する箇所にパッキンが設けられていることが好ましい。
【００１０】
またこの棟面戸において、前記前面戸の上端が前方に屈曲していることが好ましい。
【００１１】
本発明の屋根構造は、凹部と凸部とが屋根勾配方向とは直角な方向に並設された凹凸屋根材と、この凹凸屋根材の棟に取り付けられる棟面戸とを具備し、前記棟面戸は前記凹部に嵌め込まれる面戸板部を備え、前記面戸板部は、前記凹部に嵌め込まれる前面戸と、この前面戸の棟側に並設される後面戸と、前記前面戸と前記後面戸とを連結する連設部とを有しており、前記後面戸と前記凹部との間にパッキンが設けられていることを特徴とする。
【００１２】
またこの屋根構造において、前記棟面戸は、前記凸部の上面に載設され複数の前記面戸板部を連結する連結部を備えており、前記連結部と前記凸部との間にパッキンが設けられていることが好ましい。
【発明の効果】
【００１３】
本発明の棟面戸およびこの棟面戸が取り付けられた屋根構造によれば、前面戸と後面戸とが連設部によって連結されているため、施工者が面戸板部を凹部に嵌め込むだけで、屋根勾配方向に２重に面戸を設置することができる。
【００１４】
従って、本発明の棟面戸およびこの棟面戸が取り付けられた屋根構造によれば、作業性を確保しながら、止水性を向上させることができる。
【図面の簡単な説明】
【００１５】
【図１】実施形態１の棟面戸の前方から見た斜視図である。
【図２】実施形態１の棟面戸の後方から見た斜視図である。
【図３】実施形態１の棟面戸であり、（ａ）は側面図であり、（ｂ）は斜め下方から見た斜視図である。
【図４】実施形態１の棟面戸を凹凸屋根材に取り付けた状態の斜視図である。
【図５】実施形態１の屋根構造の要部斜視図である。
【図６】実施形態１の棟包みを分解した斜視図である。
【図７】実施形態１の棟側端部の断面図である。
【発明を実施するための形態】
【００１６】
以下、本発明の実施形態について添付図面に基づいて説明する。
【００１７】
本実施形態の屋根構造は、図５に示すように、屋根１と、棟面戸２と、棟包み５とを備えている。屋根１は切妻屋根により構成される。屋根１は、屋根下地１１と、凹凸屋根材１２とを備えている。
【００１８】
なお、屋根１は、切妻屋根でなくてもよい。屋根１は、例えば、寄棟屋根であってもよいし、片流れ屋根であってもよい。屋根１が片流れ屋根である場合には、屋根勾配方向の上流側端部が棟として、下流側端部が軒として定義される。
【００１９】
また、本実施形態において、屋根勾配方向に平行な方向は、前後方向として定義される。特に前後方向のうち、棟側（水上側）から軒側（水下側）に向かう方向は前方向とし、軒側から棟側に向かう方向を後方向として定義される。また、前後方向に直交する方向（軒に沿った方向）は、左右方向として定義される。また、前後方向及び左右方向の両方向に直交する方向（屋根面の法線方向）は、上下方向として定義される。
【００２０】
屋根下地１１は、図７に示すように、凹凸屋根材１２の下地を構成する。屋根下地１１は、棟から軒に向かって下り傾斜している。屋根下地１１は、例えば、垂木に野地板を敷設することで構成されている。なお、野地板の上面には、防水シートや遮熱シートが敷設されてもよい。
【００２１】
凹凸屋根材１２は、屋根下地１１上に敷設される。凹凸屋根材１２は、図５に示すように、前後方向に長さを有し、左右方向に幅を有している。凹凸屋根材１２の長さは、屋根１の前後方向の全長に亙った大きさに形成される。凹凸屋根材１２は、左右方向に複数並設され、これにより屋根１を構成する。
【００２２】
凹凸屋根材１２は、図５に示すように、凹部１３と、凸部１４とを備えている。凹部１３と凸部１４とは左右方向に繰り返し並設されている。凸部１４は、上方に向かって突出し且つ下方に向かって開口する。凹部１３は、下方に凹没しており、これにより、上方に向かって開口する。凸部１４と凹部１３とは、凹凸屋根材１２の前後方向の全長に亙って設けられている。
【００２３】
なお、凸部１４と凹部１３とは、左右方向に交互に並んで形成される。このため、凸部１４の側面は、隣接する凹部１３の側面を兼ねる。
【００２４】
凸部１４の内部には、図７に示すように、通気路１５が設けられている。通気路１５は、凸部１４の下面と屋根下地１１（本実施形態では野地板）の上面とにより構成されている。この通気路１５は、軒側開口（図示せず）と、棟側開口１６とを備えている。軒側開口と棟側開口１６とは連通している。軒側開口は、軒先の下面に設けられており、軒先下方（つまり、軒下）に向かって開口している。棟側開口１６は、棟包み５の内部に向かって開口している。
【００２５】
凹凸屋根材１２は、例えば、ルーフデッキや、折板材等により構成される。凹凸屋根材１２は、前後方向に直交した断面（左右方向に切断した断面）が、角波状となるように形成される。凹凸屋根材１２は、例えば、鋼板等により構成された金属屋根である。
【００２６】
なお、凹凸屋根材１２の断面形状は、断面丸波状に形成されてもよく、角波状に限定されない。凹凸屋根材１２は、鋼板以外の金属板で構成されていてもよく、凹凸屋根材１２の材質は金属に限定されない。
【００２７】
このような凹凸屋根材１２の棟側の端部には、棟面戸２が取り付けられる。棟面戸２は、図１に示すように、面戸板部３と、連結部４とを備えている。
【００２８】
面戸板部３は、凹凸屋根材１２の凹部１３に嵌め込まれる。面戸板部３は、左右方向に複数設けられている。面戸板部３は、凹凸屋根材１２の全ての凹部１３に嵌め込まれている。なお、面戸板部３と凹部１３とは、強固に嵌合したものであってもよいし、遊びを持って嵌め込まれたものであってもよい。面戸板部３は、後面戸３１と、連設部３２と、前面戸３３とを備えている。後面戸３１と連設部３２と前面戸３３とは、例えば、帯状の金属板を曲げ加工することで形成される。
【００２９】
後面戸３１は、前面戸３３よりも棟側に配置される。後面戸３１は、上下方向に高さを有し、左右方向に幅を有している。後面戸３１の外形は、凹部１３（詳しくは、凹部１３の上面）と略同じ形状に形成される。後面戸３１は、凹部１３内に棟面戸２が取り付けられると、凹部１３の底面に当接し、当該底面に直交する。
【００３０】
連設部３２は、後面戸３１と前面戸３３とを連結する。連設部３２は、後面戸３１の下端部から前方に向かって延出している。連設部３２は、左右方向に幅を有し、前後方向に長さを有している。連設部３２の幅は、凹部１３の底面の左右方向の長さと略同寸に形成される。連設部３２は、凹部１３の底面に面状に当接する。なお、連設部３２は、後面戸３１の上下方向の中間に設けられていてもよく、つまり、凹部１３の底面に当接していなくてもよい。
【００３１】
前面戸３３は、連設部３２の前方側の先端から上方に向かって延出している。前面戸３３は、後面戸３１に並設される。前面戸３３は、縦片３４と、折返し片３５とを有している。縦片３４は、連設部３２に直交している。縦片３４は、後面戸３１に略平行となっている。折返し片３５は、縦片３４の上端から前斜め下方に向かって延出している。言い換えると、前面戸３３の上端は軒側に屈曲している。縦片３４と折返し片３５とは、例えば、曲げ加工により形成される。
【００３２】
後面戸３１の外周部には、図３に示すように、パッキン２２が取り付けられている。パッキン２２は、後面戸３１の凹部１３に接する箇所に被着されている。後面戸３１に取り付けられたパッキン２２は、背面視略Ｕ字状となるように配置されている。後面戸３１の左右方向の縁部に取り付けられるパッキン２２は、例えば、差込溝が設けられて、後面戸３１の縁に差し込まれる。後面戸３１の下側に取り付けられるパッキン２２は、例えば、接着により取り付けられる。パッキン２２は、例えば、ゴムやエラストマー等により構成されるが、材質は特に限定されない。
【００３３】
連結部４は、図２に示すように、複数の面戸板部３を左右方向に連結する。連結部４は、左右方向に長さを有している。連結部４は、接続部４１と、トラップ４４と、固定部４２とを備えている。
【００３４】
接続部４１は、面戸板部３同士を繋いでいる。接続部４１は、前後方向に幅を有し、左右方向に長さを有している。接続部４１は、その下面が凸部１４の上面に、面状に当接した状態で載置される。固定部４２は、接続部４１の後端から後方に向かって延出している。固定部４２は、接続部４１と同一面上に位置している。固定部４２は、接続部４１と同様、その下面が凸部１４の上面に、面状に当接した状態で載置される。固定部４２には固着具挿通孔４３が設けられている。この固定部４２が凸部１４の上面に当接した状態で、固着具挿通孔４３に固着具が挿入されることにより、固定部４２は凸部１４の上面に固定される。
【００３５】
トラップ４４は、接続部４１の前端から上方に向かって延出している。トラップ４４は、平面視で、後面戸３１と前面戸３３との間に配置される。トラップ４４は、立壁部４５と、折り返し部４６とを備えている。
【００３６】
立壁部４５は、接続部４１の前端から上方に向かって延出している。立壁部４５は、上下方向に高さを有し、左右方向に長さを有している。立壁部４５の長さ方向は、面戸板部３の並設方向に平行となっている。また、立壁部４５は、棟面戸２の左右方向の全長に亙って設けられている。折り返し部４６は、立壁部４５の上端から前斜め下方に向かって延出している。言い換えると、トラップ４４の上端は、軒側に屈曲している。
【００３７】
接続部４１の下面には、図３に示すように、パッキン２２が取り付けられている。このパッキン２２は、接続部４１における凸部１４の上面に接する箇所に取り付けられている。パッキン２２は、例えば、接着により取り付けられる。パッキン２２は、例えば、ゴムやエラストマー等により構成されるが、材質は特に限定されない。また、本実施形態のパッキン２２は、接続部４１に取り付けられたパッキンと、後面戸３１に取り付けられたパッキンとが一体に形成されているが、これらは一体でなくてもよい。
【００３８】
このような構成の棟面戸２は、例えば、次のようにして凹凸屋根材１２に取り付けられる。
【００３９】
施工者は、凹凸屋根材１２を屋根下地１１上に設置した後、図４に示すように、凹凸屋根材１２の棟側の端部に棟面戸２を取り付ける。施工者は、棟面戸２の面戸板部３を凹部１３内に嵌め入れ、連結部４の固定部４２を凸部１４の上面に載設する。この状態で施工者は、固定部４２の固着具挿通孔４３に固着具２１を打入する。
【００４０】
施工者は、上述の棟面戸２を左右方向に並設し（本実施形態では２つ）、屋根１の左右方向の全長に亙って棟面戸２を設置する。
【００４１】
このように取り付けられた棟面戸２の上方には、図５に示すように、棟包み５が取り付けられる。
【００４２】
棟包み５は、凹凸屋根材１２の棟を覆う部材である。棟包み５は、屋根１の棟の左右方向の全長に亙って設けられている。棟包み５は、第一棟包み５１と、第二棟包み５２とを備えている。第一棟包み５１は、凹凸屋根材１２の棟側の端部に固定されている。第二棟包み５２は、屋根１の左右方向の一部に設けられている。第二棟包み５２は、図６に示すように、下方に換気部６が設けられており、室内側空間の空気や通気路１５を流通した空気を流出させることができるように構成されている。第二棟包み５２は、第一棟包み５１に対して着脱自在に形成されている。
【００４３】
第二棟包み５２は、図７に示すように、包み部５３と、垂下片５４と、折曲片５５とを備えている。包み部５３は、換気部６を覆う部分である。垂下片５４は、包み部５３の前方側の先端から下方に向かって延出している。折曲片５５は、垂下片５４の下端から上斜め後方に向かって延出している。
【００４４】
換気部６は、図６に示すように、屋根下地１１の棟側の端部に設けられている。換気部６は、棟側の端部において、左右方向の一部に設けられている。具体的に、換気部６は、左右方向の中央に設けられている。換気部６は、開口部６１（例えば図４）と、覆い部材６２とを備えている。開口部６１は、屋根下地１１を上下方向または鉛直方向に貫通する。これにより、換気部６は、屋根下地１１より上方の空間と、屋根下地１１より下方の空間（以下、室内側空間）とを連通させる。
【００４５】
覆い部材６２は、開口部６１を覆う。覆い部材６２には、上下方向に貫通した複数の通気孔６３と、上下方向に貫通した通線孔６４とが設けられている。通気孔６３及び通線孔６４は、いずれも開口部６１に連通する。このため、屋根下地１１より上方の空間は、通気孔６３や通線孔６４を介して、屋内側空間と連通する。
【００４６】
この覆い部材６２には、図７に示すように、後下トラップ６５が設けられている。後下トラップ６５は、上下方向に幅を有し、左右方向に長さを有している。後下トラップ６５の上端は、前斜め下方に向かって屈曲している。後下トラップ６５の上端と棟包み５との間には、一定の間隙が形成されている。
【００４７】
また、後下トラップ６５の前方には、上トラップ６６が設けられている。上トラップ６６は、断面逆Ｌ字状をしている。上トラップ６６は、左右方向に長さを有している。上トラップ６６の下端と屋根下地１１との間には一定の間隙が形成されている。
【００４８】
上トラップ６６は、固定ブラケット６７を介して取り付けられている。固定ブラケット６７は、断面略クランク状に形成されている。固定ブラケット６７は、屋根下地１１に固着具を介して固定される。
【００４９】
第二棟包み５２が設置されると、垂下片５４の下端と凹凸屋根材１２の上面との間には、換気用の間隙が形成される。この間隙は、通気路１５を介して軒下に、また室内側空間に連通している。これにより、第二棟包み５２と凹凸屋根材１２との間の間隙を介して、室内側空間から上昇した空気や、軒側開口から流入して棟側から流出した空気が、外部に流出できるように構成されている。
【００５０】
また、凹凸屋根材１２の上面には、機能パネル（図示せず）が設置される。機能パネルとしては、例えば、太陽電池パネルや、太陽光集熱パネルなどが挙げられる。機能パネルは、送電ケーブル等のケーブル７を備えている。このケーブル７は、前面戸３３の上方、棟面戸２のトラップ４４の上方、上トラップ６６の下方、後下トラップ６５の上方、通線孔６４を通って、室内側空間に引き込まれる。
【００５１】
以上、説明したように、本実施形態の棟面戸２は、凹凸屋根材１２の棟側の端部に取り付けられるものである。棟面戸２は、凹部１３に嵌め込まれる面戸板部３を備えている。面戸板部３は、凹部１３に嵌め込まれる前面戸３３と、前面戸３３の棟側に並設される後面戸３１と、前面戸３３と後面戸３１とを連結する連設部３２とを有している。
【００５２】
本実施形態の棟面戸２は、凹部１３に嵌め込まれる前面戸３３と後面戸３１とが連設部３２で一体に連結されているため、施工者は、一度の作業で、前面戸３３と後面戸３１とを一緒に嵌め込むことができる。これにより、施工者は、工数の増加を抑制しつつ、屋根勾配方向に二重の面戸３３，３１を棟部に設置することができる。この結果、本実施形態の棟面戸２によれば、作業性を確保しながら、止水性を向上させることができる。
【００５３】
また、本実施形態の後面戸３１には、凹部１３に接する箇所にパッキン２２が設けられている。
【００５４】
このため、本実施形態の棟面戸２によれば、前面戸３３と後面戸３１との二重の防水ができるだけでなく、後面戸３１から棟側への浸水を防ぐことができる。特に、凹凸屋根材１２と棟面戸２との当接部分は、毛細管現象の作用により、雨水を引き込んでしまう可能性がある。これに対し、本実施形態の棟面戸２は、後面戸３１と凹部１３とが接する箇所にパッキン２２が設けられているため、毛細管現象による雨水の引き込みも防ぐことができる。
【００５５】
また、本実施形態の棟面戸２は、連結部４を備えている。連結部４は、凸部１４の上面に載設され、複数の面戸板部３同士を連結する。この連結部４における凸部１４の上面に接する箇所には、パッキン２２が設けられている。
【００５６】
このため、本実施形態の棟面戸２によれば、凸部１４と連結部４との間からの浸水をも防ぐことができる。特に、本実施形態の連結部４にはトラップ４４が設けられている。このため、トラップ４４により遮った雨水は下方に流下して、凸部１４と連結部４との間に流れる。このとき、凸部１４と連結部４との間にパッキン２２が設けられていないと、毛細管現象の作用により、雨水を引き込んでしまう可能性があるが、本実施形態の棟面戸２によれば、この浸水を防ぐことができる。
【００５７】
また、本実施形態の前面戸３３は、上端が前方に屈曲している。
【００５８】
このため、本実施形態の棟面戸２によれば、前面戸３３に雨水が付着した状態で、強風が吹いた場合であっても、前面戸３３を伝って上昇する雨水が、当該前面戸３３を乗り越えて棟部側に浸水するのを防ぐことができる。
【００５９】
また、本実施形態の屋根構造は、凹凸屋根材１２と、この凹凸屋根材１２の棟に取り付けられる棟面戸２とを具備している。棟面戸２は、凹部１３に嵌め込まれる面戸板部３を備えている。この面戸板部３は、凹部１３に嵌め込まれる前面戸３３と、前面戸３３の棟側に並設される後面戸３１と、前面戸３３と後面戸３１とを連結する連設部３２とを有している。本実施形態の屋根構造は、後面戸３１と凹部１３との間にパッキン２２が設けられている。
【００６０】
このように、本実施形態の屋根構造は、前面戸３３と、後面戸３１とで二重の止水ができるだけでなく、後面戸３１から棟側への浸水を防ぐことができる。特に、凹凸屋根材１２と棟面戸２との当接部分は、毛細管現象の作用により、雨水を引き込んでしまう可能性がある。これに対し、本実施形態の棟面戸２は、後面戸３１と凹部１３とが接する箇所にパッキン２２が設けられているため、毛細管現象による雨水の引き込みも防ぐことができる。
【００６１】
また、本実施形態の屋根構造は、棟面戸２が、凸部１４の上面に載設され複数の面戸板部３を連結する連結部４を備えている。屋根構造は、連結部４と凸部１４との間にパッキン２２が設けられている。
【００６２】
このため、本実施形態の屋根構造によれば、凸部１４と連結部４との間からの浸水をも防ぐことができる。
【００６３】
なお、本実施形態の屋根構造は、棟面戸２にパッキン２２が取り付けられたものであったが、本発明の屋根構造は、凹凸屋根材２２にパッキンを配設した上で、棟面戸２が取り付けられたものであってもよい。また、本実施形態のパッキン２２は、線状のパッキンであったが、本発明のパッキンは、面状のパッキンであってもよい。
【００６４】
本発明は、前述の各実施形態にのみ限定されるものではなく、要旨を逸脱しない範囲内で適宜変更して実施し得るものである。
【符号の説明】
【００６５】
１      屋根
１１    屋根下地
１２    凹凸屋根材
１３    凹部
１４    凸部
２      棟面戸
２２    パッキン
３      面戸板部
３１    後面戸
３２    連設部
３３    前面戸
３４    縦片
３５    折返し片
４      連結部
４１    接続部
４２    固定部
４４    トラップ
４５    立壁部
４６    折り返し部
５      棟包み
６      換気部
６１    開口部
【図１】
2014198945.tif 000003
【図２】
2014198945.tif 000004
【図３】
2014198945.tif 000005
【図４】
2014198945.tif 000006
【図５】
2014198945.tif 000007
【図６】
2014198945.tif 000008
【図７】
2014198945.tif 000009